(57)【要約】【課題】記録媒体やデータ記録手段の温度に関係なく、記録レートが設定されているため、記録動作開始時の記録媒体やデータ記録手段の温度が低い場合には、温度に余裕があるにもかかわらず、画質が制限されてしまい、記録動作開始時の記録媒体やデータ記録手段の温度が高い場合には、データ記録手段の書き込み保証温度を超えてしまい、記録動作が破綻する。【解決手段】信号処理手段２は信号入力手段１からの信号をリアルタイムに信号処理し、データ圧縮手段３はデータ処理手段２からのデータを圧縮し、データ記録手段４に渡す。温度検出手段５はデータ記録手段４の近傍の温度を検出し、データ圧縮手段３は、温度検出手段５による検出温度Ｔdが所定の閾値温度未満のときに低い圧縮率でデータ圧縮を行い、検出温度が閾値温度以上のときに高い圧縮率でデータ圧縮を行う。【選択図】図１
2007149242.tif 000002
【特許請求の範囲】
【請求項１】
リアルタイム処理対象の信号を入力しデジタルのデータを生成する信号入力手段と、
前記信号入力手段からのデータに対してリアルタイムにデータ処理する信号処理手段と、
前記データ処理手段からのデータを圧縮するデータ圧縮手段と、
前記データ圧縮手段からの圧縮データを記録媒体に記録するデータ記録手段と、
前記データ記録手段の近傍の温度を検出する温度検出手段とを備え、
前記データ圧縮手段は、前記温度検出手段による検出温度が所定の閾値温度未満のときに低い圧縮率でデータ圧縮を行い、前記検出温度が前記閾値温度以上のときに高い圧縮率でデータ圧縮を行うように構成されている信号記録装置。
【請求項２】
前記データ圧縮手段における前記低い圧縮率と前記高い圧縮率とは、それぞれが前記温度検出手段による検出温度に応じた複数レベルを有している請求項１に記載の信号記録装置。
【請求項３】
前記温度検出手段は、前記データ記録手段による記録動作開始時に前記データ記録手段の近傍の温度を検出し、
前記データ圧縮手段は、前記データ記録手段による記録動作開始時に前記温度検出手段から得られた検出温度に応じた圧縮率を設定し、記録動作が終了するまで、前記設定された圧縮率を保持し、その圧縮率でデータ圧縮を行うように構成されている請求項１または請求項２に記載の信号記録装置。
【請求項４】
前記温度検出手段は、前記データ記録手段による記録動作継続中に周期的に前記データ記録手段の近傍の温度を検出し、
前記データ圧縮手段は、前記データ記録手段による記録動作継続中に周期的に前記温度検出手段から得られた検出温度に応じた圧縮率を更新し、所定のサイクルごとに更新される圧縮率でデータ圧縮を行うように構成されている請求項１または請求項２に記載の信号記録装置。
【請求項５】
リアルタイム処理対象の信号を入力しデジタルのデータを生成する信号入力手段と、
前記信号入力手段からのデータに対してリアルタイムにデータ処理する信号処理手段と、
前記データ処理手段からのデータを先入れ先出し方式で一時格納するバッファメモリと、
読み出しレートを制御した上で前記バッファメモリからデータを読み出す記録データ量制御手段と、
前記記録データ量制御手段からのデータを記録媒体に記録するデータ記録手段と、
前記データ記録手段の近傍の温度を検出する温度検出手段とを備え、
前記記録データ量制御手段は、前記温度検出手段による検出温度が所定の閾値温度未満のときに高い読み出しレートでデータ読み出しを行い、前記検出温度が前記閾値温度以上のときに低い読み出しレートでデータ読み出しを行うように構成されている信号記録装置。
【請求項６】
前記記録データ量制御手段における前記高い読み出しレートと前記低い読み出しレートとは、それぞれが前記温度検出手段による検出温度に応じた複数レベルを有している請求項５に記載の信号記録装置。
【請求項７】
前記温度検出手段は、前記データ記録手段による記録動作開始時に前記データ記録手段の近傍の温度を検出し、
前記記録データ量制御手段は、前記データ記録手段による記録動作開始時に前記温度検出手段から得られた検出温度に応じた読み出しレートを設定し、記録動作が終了するまで、前記設定された読み出しレートを保持し、その読み出しレートでデータ読み出しを行うように構成されている請求項５または請求項６に記載の信号記録装置。
【請求項８】
前記温度検出手段は、前記データ記録手段による記録動作継続中に周期的に前記データ記録手段の近傍の温度を検出し、
前記記録データ量制御手段は、前記データ記録手段による記録動作継続中に周期的に前記温度検出手段から得られた検出温度に応じた読み出しレートを更新し、所定のサイクルごとに更新される読み出しレートでデータ読み出しを行うように構成されている請求項５または請求項６に記載の信号記録装置。
【請求項９】
前記記録データ量制御手段は、前記読み出しレートが前記高い読み出しレートのときには前記バッファメモリを使用せず、前記読み出しレートが前記低い読み出しレートのときには前記バッファメモリを使用するように構成されている請求項５から請求項８までのいずれかに記載の信号記録装置。
【請求項１０】
前記リアルタイム処理対象の信号が映像信号である請求項１から請求項９までのいずれかに記載の信号記録装置。
【請求項１１】
前記リアルタイム処理対象の信号が音声信号である請求項１から請求項９までのいずれかに記載の信号記録装置。
【請求項１２】
前記リアルタイム処理対象の信号が映像信号と音声信号の複合信号である請求項１から請求項９までのいずれかに記載の信号記録装置。
【発明の詳細な説明】
【技術分野】
【０００１】
本発明は、リアルタイムに信号を入力し処理しながら光ディスクなどの記録媒体に記録する信号記録装置に関するものである。
【背景技術】
【０００２】
ＤＶＤ（Digital Versatile Disc）に映像と音声をリアルタイムに記録するＤＶＤレコーダやＤＶＤムービーなどの信号記録装置においては、レーザーを使用してデータを記録媒体に記録するため、記録媒体やデータ記録手段（光学ドライブ）の温度が上昇する。しかし、記録媒体やデータ記録手段の温度が規定値を超えると、記録媒体に正しく記録できなくなってしまう。そこで従来、あらかじめ設定された記録レートで記録動作を制御することにより、記録媒体やデータ記録手段の温度が規定値を超えないように設計されていた。
【０００３】
また、記録媒体のファイナライズ処理について、ファイナライズを間欠動作させることにより、記録媒体やデータ記録手段の温度上昇を抑える方法がある（例えば、特許文献１参照）。
【特許文献１】特開２００３−２８１７３３号公報（第７−９頁、第８−１５図）
【発明の開示】
【発明が解決しようとする課題】
【０００４】
しかし、上記の従来の技術においては、記録媒体やデータ記録手段の温度のいかんに関係なく、記録レートが一律に設定されているため、記録動作開始時の温度が低い状況では温度的に余裕があるが、記録レートが固定であるために画質が制限されてしまうという問題があった。また、記録動作の進行に伴って温度上昇しデータ記録手段の書き込み保証温度を超えてしまった場合でも、記録レートが固定であるために記録動作が破綻するという問題があった。
【０００５】
本発明は、このような事情に鑑みて創作したものであり、画質劣化をなるべく招かない状態でのデータ記録を実現しながら、動作保証温度をオーバーさせないようにすることを目的としている。
【課題を解決するための手段】
【０００６】
本発明による信号記録装置は、
リアルタイム処理対象の信号を入力しデジタルのデータを生成する信号入力手段と、
前記信号入力手段からのデータに対してリアルタイムにデータ処理する信号処理手段と、
前記データ処理手段からのデータを圧縮するデータ圧縮手段と、
前記データ圧縮手段からの圧縮データを記録媒体に記録するデータ記録手段と、
前記データ記録手段の近傍の温度を検出する温度検出手段とを備え、
前記データ圧縮手段は、前記温度検出手段による検出温度が所定の閾値温度未満のときに低い圧縮率でデータ圧縮を行い、前記検出温度が前記閾値温度以上のときに高い圧縮率でデータ圧縮を行うように構成されているものである。
【０００７】
この構成において、温度検出手段はデータ記録手段の近傍の温度を検出し、その検出温度をデータ圧縮手段に与える。温度検出の対象は、データ記録手段であっても記録媒体であってもいずれでもよい。データ圧縮手段は信号処理手段からのデータを圧縮するが、温度検出手段からの検出温度に応じた圧縮率を採用してデータ圧縮を行う。すなわち、データ圧縮手段は、検出温度が閾値温度未満のときは低い圧縮率を採用してデータ圧縮を行う。このとき、記録データ量は相対的に多くなり、したがって、高い画質でのデータ記録が可能となる。一方、検出温度が閾値温度以上のときは、データ圧縮手段は高い圧縮率を採用してデータ圧縮を行う。このとき、記録データ量は相対的に少なくなり、したがって、書き込み時間が低減され、記録媒体やデータ記録手段の温度上昇を抑制し、動作保証温度を超えないように制御できる。
【０００８】
上記構成において、前記データ圧縮手段における前記低い圧縮率と前記高い圧縮率とは、それぞれが前記温度検出手段による検出温度に応じた複数レベルを有しているという態様がある。前記の圧縮率については、低い圧縮率を１種類とし、高い圧縮率も１種類としてもよいが、低い圧縮率も高い圧縮率もともに複数種類としてもよい。複数種類とすれば、より高精度な制御が実現される。
【０００９】
また上記構成において、前記温度検出手段は、前記データ記録手段による記録動作開始時に前記データ記録手段の近傍の温度を検出し、前記データ圧縮手段は、前記データ記録手段による記録動作開始時に前記温度検出手段から得られた検出温度に応じた圧縮率を設定し、記録動作が終了するまで、前記設定された圧縮率を保持し、その圧縮率でデータ圧縮を行うように構成されているという態様がある。
【００１０】
記録動作開始時は、データ記録手段の近傍の温度は総じて変化が少ないと考えられる。そこで、記録動作開始時に一度だけデータ記録手段の近傍の温度検出を行い、その検出温度に応じて設定した圧縮率を記録動作が終了するまで保持することが許容され、圧縮率の頻繁な設定を回避して、効率良いデータ記録を実現する。
【００１１】
また、上記構成において、前記温度検出手段は、前記データ記録手段による記録動作継続中に周期的に前記データ記録手段の近傍の温度を検出し、前記データ圧縮手段は、前記データ記録手段による記録動作継続中に周期的に前記温度検出手段から得られた検出温度に応じた圧縮率を更新し、所定のサイクルごとに更新される圧縮率でデータ圧縮を行うように構成されているという態様がある。
【００１２】
記録動作の継続中は、データ記録手段の近傍の温度は総じて変化が大きくなると考えられる。そこで、周期的に繰り返してデータ記録手段の近傍の温度を検出し、その都度に検出温度に応じて圧縮率を更新しつつ記録動作を行うことにより、精度の高い温度制御が実現される。
【００１３】
また、本発明による信号記録装置は、
リアルタイム処理対象の信号を入力しデジタルのデータを生成する信号入力手段と、
前記信号入力手段からのデータに対してリアルタイムにデータ処理する信号処理手段と、
前記データ処理手段からのデータを先入れ先出し方式で一時格納するバッファメモリと、
読み出しレートを制御した上で前記バッファメモリからデータを読み出す記録データ量制御手段と、
前記記録データ量制御手段からのデータを記録媒体に記録するデータ記録手段と、
前記データ記録手段の近傍の温度を検出する温度検出手段とを備え、
前記記録データ量制御手段は、前記温度検出手段による検出温度が所定の閾値温度未満のときに高い読み出しレートでデータ読み出しを行い、前記検出温度が前記閾値温度以上のときに低い読み出しレートでデータ読み出しを行うように構成されている。
【００１４】
この構成において、温度検出手段はデータ記録手段の近傍の温度を検出し、その検出温度を記録データ量制御手段に与える。温度検出の対象は、データ記録手段であっても記録媒体であってもいずれでもよい。記録データ量制御手段はバッファメモリからのデータ読み出しを行うが、温度検出手段からの検出温度に応じた読み出しレートを採用してデータ読み出しを行う。すなわち、記録データ量制御手段は、検出温度が閾値温度未満のときは高い読み出しレートでデータ読み出しを行う。このとき、記録データ量は相対的に多くなり、したがって、高い画質でのデータ記録が可能となる。一方、検出温度が閾値温度以上のときは、記録データ量制御手段は低い読み出しレートを採用してデータ読み出しを行う。このとき、記録データ量は相対的に少なくなり、したがって、書き込み時間が低減され、記録媒体やデータ記録手段の温度上昇を抑制し、動作保証温度を超えないように制御できる。
【００１５】
上記構成において、前記記録データ量制御手段における前記高い読み出しレートと前記低い読み出しレートとは、それぞれが前記温度検出手段による検出温度に応じた複数レベルを有しているという態様がある。前記の読み出しレートについては、高い読み出しレートを１種類とし、低い読み出しレートも１種類としてもよいが、高い読み出しレートも低い読み出しレートもともに複数種類としてもよい。複数種類とすれば、より高精度な制御が実現される。
【００１６】
また、上記構成において、前記温度検出手段は、前記データ記録手段による記録動作開始時に前記データ記録手段の近傍の温度を検出し、前記記録データ量制御手段は、前記データ記録手段による記録動作開始時に前記温度検出手段から得られた検出温度に応じた読み出しレートを設定し、記録動作が終了するまで、前記設定された読み出しレートを保持し、その読み出しレートでデータ読み出しを行うように構成されているという態様がある。
【００１７】
記録動作開始時は、データ記録手段の近傍の温度は総じて変化が少ないと考えられる。そこで、記録動作開始時に一度だけデータ記録手段の近傍の温度検出を行い、その検出温度に応じて設定した読み出しレートを記録動作が終了するまで保持することが許容され、読み出しレートの頻繁な設定を回避して、効率良いデータ記録を実現する。
【００１８】
また上記構成において、前記温度検出手段は、前記データ記録手段による記録動作継続中に周期的に前記データ記録手段の近傍の温度を検出し、前記記録データ量制御手段は、前記データ記録手段による記録動作継続中に周期的に前記温度検出手段から得られた検出温度に応じた読み出しレートを更新し、所定のサイクルごとに更新される読み出しレートでデータ読み出しを行うように構成されているという態様がある。
【００１９】
記録動作の継続中は、データ記録手段の近傍の温度は総じて変化が大きくなると考えられる。そこで、周期的に繰り返してデータ記録手段の近傍の温度を検出し、その都度に検出温度に応じて読み出しレートを更新しつつ記録動作を行うことにより、精度の高い温度制御が実現される。
【００２０】
また上記構成において、前記記録データ量制御手段は、前記読み出しレートが前記高い読み出しレートのときには前記バッファメモリを使用せず、前記読み出しレートが前記低い読み出しレートのときには前記バッファメモリを使用するように構成されているという態様がある。バッファメモリは先入れ先出し方式（ＦＩＦＯ）が好ましく、バッファメモリへの書き込みレートに対して読み出しレートを低くすることにより、バッファ作用が発揮される。ただし、検出温度が低くて記録データ量を多くしてもよいときは、バッファメモリを通さずに、信号処理手段からのデータを直接、データ記録手段に転送してもよく、この場合は効率動作を実現する。
【００２１】
なお、上記の構成において、前記リアルタイム処理対象の信号については、これを映像信号としてもよいし、音声信号としてもよいし、あるいは映像信号と音声信号の複合信号としてもよい。
【発明の効果】
【００２２】
本発明によれば、データ記録手段の近傍の検出温度に応じた圧縮率を採用してデータ圧縮を行い、あるいは、検出温度に応じた読み出しレートでバッファメモリからデータを読み出すので、検出温度が相対的に低いときは記録データ量を相対的に多くして高い画質でのデータ記録を実現し、検出温度が相対的に高いときは記録データ量を相対的に少なくして書き込み時間を低減し、記録媒体やデータ記録手段の温度上昇を抑制して動作保証温度を超えないように制御することができる。
【発明を実施するための最良の形態】
【００２３】
以下、本発明にかかわる信号記録装置の実施の形態を図面に基づいて詳細に説明する。
【００２４】
（実施の形態１）
本発明の実施の形態１は、データ記録動作開始時に温度検出を行ってそのときの検出温度に応じて圧縮率を決定し、記録動作が終了するまで、その圧縮率を保持するものである。
【００２５】
図１は本発明の実施の形態１における信号記録装置の構成を示すブロック図である。図１において、１は例えばカメラのように映像を撮像し、デジタルデータに変換する映像信号入力手段であり、これは上記の信号入力手段に相当する。なお、映像信号入力手段１は、カメラに限らずテレビ信号をＡＤ（アナログ‐デジタル）変換するものでもよく、さらには、リアルタイム処理対象の入力信号は映像信号だけに限らず、音声信号などでもかまわない。また、映像信号と音声信号という具合に、複合信号でもかまわない。本実施の形態では、映像をカメラで撮像する場合について説明する。２はデジタルデータに画質調整やノイズリダクションなどの映像信号処理を施す映像信号処理手段であり、これは上記の信号処理手段に相当する。なお、本実施の形態では映像データを処理するが、音声データやその他のデータの場合でも各々の信号処理が行われる。３は映像信号処理手段２から受け取った映像データを圧縮処理するもので、温度検出手段５によるデータ記録手段４の近傍の検出温度Ｔdが所定の閾値温度Ｔh1 未満の場合には、相対的に低い第１の圧縮率ρ1でデータ圧縮を行い、検出温度Ｔdが閾値温度Ｔh1 以上の場合には、相対的に高い第２の圧縮率ρ2 でデータ圧縮を行うデータ圧縮手段である。４はデータ圧縮手段３による圧縮データを光ディスクｄへ書き込むデータ記録手段（光学ドライブ）である。なお、５はデータ記録手段４の近傍の温度を検出温度Ｔdとして検出する温度検出手段である。
【００２６】
データ記録手段４により光ディスクｄに記録データを書き込む際には、レーザーなどを使用して書き込みを行うため、発生する熱量が放熱量よりも大きくなり、検出温度Ｔdが上昇する。動作保証温度Ｔcを超えた場合には記録動作が破綻する可能性もある。また、記録動作を行っていないときには、レーザーによる熱は発生せず、検出温度Ｔdは低下する。
【００２７】
図２にドライブ動作と検出温度Ｔdとの関係を示す。
【００２８】
ＮＷは書き込みを行っていない期間、Ｗはデータ記録手段４が書き込みを行っている期間である。書き込みを行っていない期間ＮＷではレーザーは発光していないため、検出温度Ｔdは低下する。書き込みを行っている期間Ｗではレーザーが発光しているため、検出温度Ｔdは上昇する。ただし、概ね外気温になったＢの期間では、温度の低下が止まる。
【００２９】
図３は本実施の形態の信号記録装置の動作を示すフローチャートである。
【００３０】
ステップＳ１において、ユーザーのボタン押下や予約録画の開始などに伴って、記録動作開始の指示が行われる。次いでステップＳ２において、温度検出手段５は記録動作開始のタイミングでデータ記録手段４の近傍の温度を検出温度Ｔdとして検出する。次いでステップＳ３において、検出温度Ｔdの判定を行い、検出温度Ｔdが閾値温度Ｔh1 未満の場合はステップＳ４に進み、検出温度Ｔdが閾値温度Ｔh1以上の場合にはステップＳ６に進む。
【００３１】
検出温度Ｔdが閾値温度Ｔh1 未満であることから進んだステップＳ４においては、データ圧縮手段３は相対的に低い第１の圧縮率ρ1でデータの圧縮を行い、次いでステップＳ５において、第１の圧縮率ρ1 での圧縮データを光ディスクｄに対して書き込む。以降、ステップＳ４に戻り、記録終了まで、選択した第１の圧縮率ρ1で記録動作が行われる。この第１の圧縮率ρ1 での圧縮データの書き込みは、記録データ量が多く、高画質記録となる。
【００３２】
一方、検出温度Ｔdが閾値温度Ｔh1 以上であることから進んだステップＳ６においては、データ圧縮手段３は相対的に高い第２の圧縮率ρ2でデータの圧縮を行い、次いでステップＳ７において、第２の圧縮率ρ2 での圧縮データを光ディスクｄに対して書き込む。以降、ステップＳ６に戻り、記録終了まで、選択した第２の圧縮率ρ2で記録動作が行われる。この第２の圧縮率ρ2 での圧縮データの書き込みは、低画質記録となるが、記録データ量が少ないため、記録動作時間が短くてすみ、データ記録手段４の温度上昇を抑え、動作保証温度Ｔcを超えない記録動作を実現することができる。
【００３３】
図４は相対的に低い第１の圧縮率ρ1 が採用されるステップＳ４における検出温度Ｔdの波形図である。
【００３４】
Ｔa は記録動作開始時の検出温度、Ｔcはデータ記録手段４の動作保証温度である。
【００３５】
第１の圧縮率ρ1 のもとでのデータ記録時における単位時間当たりの温度上昇率をα1、光ディスクｄに対してデータ記録可能な最大許容時間をｔmax として、式（１）を満たすように閾値温度Ｔh1 が定められる。
【００３６】
Ｔa ＜Ｔh1 ＜Ｔa ＋α1 ×ｔmax ＜Ｔc……………（１）
データ記録手段４の近傍の検出温度Ｔdは記録動作開始タイミングｔ1 から上昇し始め、記録終了タイミングｔ2 まで上昇を続ける。ただし、記録終了タイミングｔ2までにデータ記録手段４の動作保証温度Ｔcを超えることはない。
【００３７】
図５は相対的に高い第２の圧縮率ρ2 が採用されるステップＳ６における検出温度Ｔdの波形図である。
【００３８】
Ｔsは記録動作開始時の検出温度である。記録停止中は、データ記録手段４がアイドル状態であるため、検出温度Ｔdは下降または一定温度で安定する。第２の圧縮率ρ2のもとでのデータ記録は、傾向として、温度降下の途中に行われる。すなわち、単位時間当たりの温度上昇率α2 は、
α2 ＜０……………（２）
でマイナスとなる。その結果として、記録中も、検出温度Ｔdは下降または一定温度で安定する。したがって、仮に記録動作開始時に検出温度Ｔdが式（１）を満たさない条件であっても、データ記録手段４の動作保証温度Ｔc内で動作可能である。
【００３９】
以上のように本実施の形態によれば、記録動作開始時のデータ記録手段４の近傍の検出温度Ｔdに応じてデータの圧縮率を切り替えるもので、検出温度Ｔdが閾値温度Ｔh1 未満の場合には、データ記録手段４の動作保証温度Ｔcに達するまでに余裕があるため、相対的に低い第１の圧縮率ρ1でデータ圧縮し、記録データ量を多くして高画質記録を行う。また、検出温度Ｔdが閾値温度Ｔh1 以上の場合には、相対的に高い第２の圧縮率ρ2でデータ圧縮することで記録データ量を減らし、データ記録手段４が記録動作を行う時間を短くすることでデータ記録手段４の温度上昇を抑え、動作保証温度Ｔcを超えない記録動作を実現することができる。
【００４０】
（実施の形態２）
本発明の実施の形態２は、データ記録中において、周期的に温度検出を行い、その時々の検出温度Ｔdに応じて圧縮率を選択するものである。本実施の形態における信号記録装置の構成については、実施の形態１の場合の図１の構成が援用される。
【００４１】
図６は本発明の実施の形態２における信号記録装置の動作を示すフローチャートである。
【００４２】
ステップＳ１１において、ユーザーのボタン押下や予約録画の開始などに伴って、記録動作開始の指示が行われる。次いでステップＳ１２において、温度検出手段５は所定のタイミングでデータ記録手段４の近傍の温度を検出温度Ｔdとして検出する。次いでステップＳ１３において、検出温度Ｔdの判定を行い、検出温度Ｔdが所定の閾値温度Ｔh2 未満の場合はステップＳ１４に進み、検出温度Ｔdが閾値温度Ｔh2以上の場合にはステップＳ１５に進む。
【００４３】
検出温度Ｔdが閾値温度Ｔh2 未満であることから進んだステップＳ１４においては、データ圧縮手段３は相対的に低い第１の圧縮率ρ1でデータの圧縮を行う。次いでステップＳ１６において、第１の圧縮率ρ1 での圧縮データを光ディスクｄに対して書き込む。第１の圧縮率ρ1での圧縮データの書き込みは、記録データ量が多く、高画質記録となるが、検出温度Ｔdが上昇する。次いで、所定のタイミングで温度検出のステップＳ１２に戻る。
【００４４】
一方、検出温度Ｔdが閾値温度Ｔh2 以上であることから進んだステップＳ１５においては、データ圧縮手段３は相対的に高い第２の圧縮率ρ2でデータの圧縮を行う。次いでステップＳ１６において、第２の圧縮率ρ2 での圧縮データを光ディスクｄに対して書き込む。第２の圧縮率ρ2での圧縮データの書き込みは、低画質記録となるが、記録データ量が少ないため、検出温度Ｔdが下降する。次いで、所定のタイミングで温度検出のステップＳ１２に戻る。
【００４５】
以降、温度検出と、検出温度Ｔdに応じた圧縮率の選択と、選択された圧縮率のもとでの圧縮データの生成および記録を繰り返し実行する。すなわち、データ記録中において、周期的に温度検出を行い、その時々の検出温度Ｔdに応じて圧縮率を選択するものである。
【００４６】
図７は本実施の形態の信号記録装置の動作を示すタイミングチャートである。
【００４７】
データ記録手段４の近傍の検出温度Ｔdの変化グラフ、圧縮率ρの変化グラフ、記録データ量Ｑの変化グラフが示されている。Ｔh2 は圧縮率を決定するときの閾値温度、ρ1は第１の圧縮率、ρ2 は第２の圧縮率、Ｑ1 は第１の圧縮率ρ1 での記録データ量、Ｑ2は第２の圧縮率ρ2 での記録データ量である。ρ1 ＜ρ2 であり、Ｑ1＞Ｑ2 である。
【００４８】
記録動作開始タイミングｔ11での検出温度Ｔdは閾値温度Ｔh2 よりも低いため、相対的に低い第１の圧縮率ρ1でデータ圧縮を行う。このときの記録データ量Ｑ1 は大きいため、検出温度Ｔdは時間とともに上昇する。
【００４９】
次に所定の時間経過後のタイミングｔ12では検出温度Ｔdが閾値温度Ｔh2 を超えており、これに応じて相対的に高い第２の圧縮率ρ2でデータ圧縮を行う。このときの記録データ量Ｑ2 は小さいため、検出温度Ｔdは時間とともに下降する。
【００５０】
なお、タイミングｔ11からタイミングｔ12までの時間は、第１の圧縮率ρ1 での圧縮データを最大記録時間にわたって連続して記録した場合に、検出温度Ｔdがデータ記録手段４の動作保証温度Ｔcを上回ることがない時間内に定められる。この時間内であれば任意である。
【００５１】
さらに所定の時間が経過したタイミングｔ13では、検出温度Ｔdは再び閾値温度Ｔh2 よりも低くなり、第１の圧縮率ρ1でデータ圧縮を行う。このときの記録データ量Ｑ1 は大きいため、検出温度Ｔdは再び時間とともに上昇する。以降は、同様の動作を繰り返す。
【００５２】
以上のように本実施の形態によれば、データ記録手段４の近傍の温度を検出温度Ｔdとして所定の時間ごとに検出し、その検出温度Ｔdに従って圧縮率ρを制御し、記録データ量Ｑを変化させることで、検出温度Ｔdを一定範囲内に制御することができる。したがって、画質劣化をなるべく招かない状態でのデータ記録を実現しながら、動作保証温度をオーバーさせないようにして記録動作の破綻を招くことなく記録動作を継続することができる。
【００５３】
（実施の形態３）
本発明の実施の形態３は、データ記録動作開始時に温度検出を行ってそのときの検出温度Ｔdに応じてバッファメモリからの読み出しレートを決定し、記録動作が終了するまで、その読み出しレートを保持するものである。
【００５４】
図８は本発明の実施の形態３における信号記録装置の構成を示すブロック図である。図８において、１１は上記と同様の映像信号入力手段、１２は上記と同様の映像信号処理手段、１４は上記と同様のデータ記録手段（光学ドライブ）、１５は上記と同様のデータ記録手段１４の近傍の温度検出手段である。１３は映像信号処理手段１２の出力するレートでバッファメモリ１６にデータを書き込み、温度検出手段１５によるデータ記録手段１４の近傍の検出温度Ｔdが所定の閾値温度Ｔh3 未満の場合には、相対的に高い第１の読み出しレートγ1 でデータ記録手段１４へ記録データを出力し、検出温度Ｔdが閾値温度Ｔh3以上の場合には、バッファメモリ１６を使用し、相対的に低い第２の読み出しレートγ2 でデータ記録手段１４へ記録データを出力する記録データ量制御手段である。記録データ量制御手段１３およびバッファメモリ１６は、実施の形態１におけるデータ圧縮手段３に代わるものである。
【００５５】
図９は本実施の形態の信号記録装置の動作を示すフローチャートである。
【００５６】
ステップＳ２１において、ユーザーのボタン押下や予約録画の開始などに伴って、記録動作開始の指示が行われる。次いでステップＳ２２において、温度検出手段１５は記録動作開始のタイミングでデータ記録手段１４の近傍の温度を検出温度Ｔdとして検出する。次いでステップＳ２３において、検出温度Ｔdの判定を行い、検出温度Ｔdが閾値温度Ｔh3未満の場合はステップＳ２４に進み、検出温度Ｔdが閾値温度Ｔh3以上の場合にはステップＳ２６に進む。
【００５７】
検出温度Ｔdが閾値温度Ｔh3 未満であることから進んだステップＳ２４においては、記録データ量制御手段１３はバッファメモリ１６から第１の読み出しレートγ1でデータを読み出し、データ記録手段１４へ出力する。次いでステップＳ２５において、第１の記録レートγ1 で光ディスクｄに対してデータの書き込みを行う。以降、ステップＳ２４に戻り、記録終了まで、選択した第１の記録レートγ1で記録動作が行われる。このときの検出温度Ｔdの変化については、実施の形態１の場合の図４が援用される。
【００５８】
一方、検出温度Ｔdが閾値温度Ｔh3 以上であることから進んだステップＳ２６においては、記録データ量制御手段１３はバッファメモリ１６から第２の読み出しレートγ2でデータを読み出し、データ記録手段１４へ出力する。次いでステップＳ２７において、第２の記録レートγ2 で光ディスクｄに対してデータの書き込みを行う。以降、ステップＳ２６に戻り、記録終了まで、選択した第２の記録レートγ2で記録動作が行われる。このときの検出温度Ｔdの変化については、実施の形態１の場合の図５が援用される。
【００５９】
以上のように本実施の形態によれば、記録動作開始時のデータ記録手段１４の近傍の検出温度Ｔdに応じて読み出しレートを切り替えるもので、検出温度Ｔdが閾値温度Ｔh3 未満の場合には、データ記録手段１４の動作保証温度Ｔcに達するまでに余裕があるため、相対的に高い第１の読み出しレートγ1でバッファメモリ１６からデータ読み出しを行う。また、検出温度Ｔdが閾値温度Ｔh3 以上の場合には、相対的に低い第２の読み出しレートγ2でバッファメモリ１６からデータ読み出し行うことで記録データ量を減らし、データ記録手段１４が記録動作を行う時間を短くすることでデータ記録手段１４の温度上昇を抑え、動作保証温度Ｔcを超えない記録動作を実現することができる。
【００６０】
（実施の形態４）
本発明の実施の形態４は、データ記録中において、周期的に温度検出を行い、その時々の検出温度Ｔdに応じて読み出しレートを選択するものである。本実施の形態における信号記録装置の構成については、実施の形態３の場合の図８の構成が援用される。
【００６１】
図１０は本発明の実施の形態４における信号記録装置の動作を示すフローチャートである。
【００６２】
ステップＳ３１において、ユーザーのボタン押下や予約録画の開始などに伴って、記録動作開始の指示が行われる。次いでステップＳ３２において、温度検出手段１５は所定のタイミングでデータ記録手段１４の近傍の温度を検出温度Ｔdとして検出する。次いでステップＳ３３において、検出温度Ｔdの判定を行い、検出温度Ｔdが所定の閾値温度Ｔh4 未満の場合はステップＳ３４に進み、検出温度Ｔdが閾値温度Ｔh4以上の場合にはステップＳ３５に進む。
【００６３】
検出温度Ｔdが閾値温度Ｔh4 未満であることから進んだステップＳ３４においては、記録データ量制御手段１３はバッファメモリ１６から第１の読み出しレートγ1でデータを読み出し、データ記録手段１４へ出力する。次いでステップＳ３６において、第１の記録レートγ1 で光ディスクｄに対してデータの書き込みを行う。第１の記録レートγ1でのデータの書き込みは、記録データ量が多く、高画質記録となるが、検出温度Ｔdが上昇する。次いで、所定のタイミングで温度検出のステップＳ３２に戻る。
【００６４】
一方、検出温度Ｔdが閾値温度Ｔh4 以上であることから進んだステップＳ３５では、記録データ量制御手段１３はバッファメモリ１６から第２の読み出しレートγ2でデータを読み出し、データ記録手段１４へ出力する。次いでステップＳ３６において、第２の記録レートγ2 で光ディスクｄに対してデータの書き込みを行う。第２の記録レートγ2でのデータの書き込みは、低画質記録となるが、記録データ量が少ないため、検出温度Ｔdが下降する。次いで、所定のタイミングで温度検出のステップＳ３２に戻る。
【００６５】
以降、温度検出と、検出温度Ｔdに応じた読み出しレートの選択と、選択された読み出しレートのもとでのデータの読み出しおよび記録を繰り返し実行する。すなわち、データ記録中において、周期的に温度検出を行い、その時々の検出温度Ｔdに応じて読み出しレートを選択するものである。
【００６６】
図１１は本実施の形態の動作を示すタイミングチャートである。
【００６７】
データ記録手段１４の近傍の検出温度Ｔdの変化グラフ、読み出しレートγの変化グラフ、記録データ量Ｑの変化グラフが示されている。Ｔh4 は伝送レートを決定するときの閾値温度、γ1は第１の読み出しレート、γ2 は第２の読み出しレート、Ｑ1 は第１の読み出しレートγ1 での記録データ量、Ｑ2は第２の読み出しレートγ2 での記録データ量である。γ1 ＞γ2 であり、Ｑ1＞Ｑ2 である。第１の読み出しレートγ1 と第２の読み出しレートγ2 との大小関係は、実施の形態２の場合の第１の圧縮率ρ1と第２の圧縮率ρ2 との大小関係とは逆の関係となっている。
【００６８】
記録動作開始タイミングｔ21での検出温度Ｔdは閾値温度Ｔh4 よりも低いため、相対的に高い第１の読み出しレートγ1でバッファメモリ１６からデータの読み出しを行う。このときの記録データ量Ｑ1 は大きいため、検出温度Ｔdは時間とともに上昇する。
【００６９】
次に所定の時間経過後のタイミングｔ22では検出温度Ｔdが閾値温度Ｔh4 を超えており、これに応じて相対的に低い第２の読み出しレートγ2でバッファメモリ１６からデータの読み出しを行う。このときの記録データ量Ｑ2 は小さいため、検出温度Ｔdは時間とともに下降する。
【００７０】
なお、タイミングｔ21からタイミングｔ22までの時間は、第１の読み出しレートγ1 でのデータを最大記録時間にわたって連続して記録した場合に、検出温度Ｔdがデータ記録手段１４の動作保証温度Ｔcを上回ることがない時間内に定められる。この時間内であれば任意である。
【００７１】
さらに所定の時間が経過したタイミングｔ23では、検出温度Ｔdは再び閾値温度Ｔh4 よりも低くなり、第１の読み出しレートγ1でデータの読み出しを行う。このときの記録データ量Ｑ1 は大きいため、検出温度Ｔdは再び時間とともに上昇する。以降は、同様の動作を繰り返す。
【００７２】
以上のように本実施の形態によれば、データ記録手段１４の近傍の温度を検出温度Ｔdとして所定の時間ごとに検出し、その検出温度Ｔdに従って読み出しレートγを制御し、記録データ量Ｑを変化させることで、検出温度Ｔdを一定範囲内に制御することができる。したがって、画質劣化をなるべく招かない状態でのデータ記録を実現しながら、動作保証温度をオーバーさせないようにして記録動作の破綻を招くことなく記録動作を継続することができる。
【００７３】
なお、実施の形態３および実施の形態４において、検出温度Ｔd が低くて記録データ量を多くしてもよい場合の第１の読み出しレートγ1 については、必ずしもバッファメモリ１６を通す必要はなく、映像信号処理手段１２からのデータを直接、データ記録手段１４に転送してもよい。
【００７４】
なお、上記のいずれの実施の形態においても、光ディスクｄに代えて他の同様の性質をもつ記録媒体を対象としてもよい。また、データ記録手段の近傍の温度については、光ディスクの温度を検出するのでもよい。
【産業上の利用可能性】
【００７５】
本発明の信号記録装置は、記録媒体にデータを記録する際に発熱し、データ記録手段または記録媒体の温度が所定の閾値温度を超えた場合に記録動作が破綻するような性質をもつ記録媒体を対象としたＤＶＤレコーダやＤＶＤムービー等において有用である。
【図面の簡単な説明】
【００７６】
【図１】本発明の実施の形態１および実施の形態２における信号記録装置の構成を示すブロック図
【図２】本発明の実施の形態１におけるデータ記録手段の動作と温度変化のグラフ
【図３】本発明の実施の形態１における信号記録装置の動作を示すフローチャート
【図４】本発明の実施の形態１，３で第１の圧縮率または読み出しレートが採用されるステップでの検出温度の波形図
【図５】本発明の実施の形態１，３で第２の圧縮率または読み出しレートが採用されるステップでの検出温度の波形図
【図６】本発明の実施の形態２における信号記録装置の動作を示すフローチャート
【図７】本発明の実施の形態２のデータ記録手段の温度変化グラフ
【図８】本発明の実施の形態３および実施の形態４における信号記録装置の構成を示すブロック図
【図９】本発明の実施の形態３における信号記録装置の動作を示すフローチャート
【図１０】本発明の実施の形態４における信号記録装置の動作を示すフローチャート
【図１１】本発明の実施の形態４のデータ記録手段の温度変化グラフ
【符号の説明】
【００７７】
１，１１  映像信号入力手段（信号入力手段）
２，１２  映像信号処理手段（信号処理手段）
３  データ圧縮手段
４，１４  データ記録手段（光学ドライブ）
５，１５  温度検出手段
１３  記録データ量制御手段
１６  バッファメモリ
ｄ  光ディスク
【図１】
2007149242.tif 000003
【図２】
2007149242.tif 000004
【図３】
2007149242.tif 000005
【図４】
2007149242.tif 000006
【図５】
2007149242.tif 000007
【図６】
2007149242.tif 000008
【図７】
2007149242.tif 000009
【図８】
2007149242.tif 000010
【図９】
2007149242.tif 000011
【図１０】
2007149242.tif 000012
【図１１】
2007149242.tif 000013